(57)【要約】【課題】  ２足歩行型の人型移動ロボットにおいて、制御用コンピュータボード等の制御用機器の防滴、放熱、メンテナンス性を同時に満たす構成を提供する。【解決手段】  ２足歩行型の人型移動ロボットの胸部に相当する部分において、防滴構造の内殻構造体３００と、その外部を覆う外殻構造体１２０との２重構造とし、内殻構造体３００内に、制御用のコンピュータボード群その他の制御用機器を集中して格納する。こうすることで、制御用機器の発熱を効果的に排熱することと、制御用機器の効果的な防滴とを両立することができる。また、制御用機器のメンテナンスを行いやすい構造を得ることができる。【選択図】  図３
2006116679.tif 000002
【特許請求の範囲】
【請求項１】
防滴構造を備えた移動ロボットであって、
ロボットの動作を制御する制御系機器を集中して格納し、防滴構造を有する内殻構造体と、
前記内殻構造体を覆う外殻構造体と、
前記内殻構造体に設けられた内殻吸気口および内殻排気口と、
前記外殻構造体に設けられた外殻吸気口および外殻排気口と
を備えることを特徴とする防滴構造を備えた移動ロボット。
【請求項２】
前記内殻排気口からの排気を行うための排気ファンをさらに備えることを特徴とする請求項１に記載の防滴構造を備えた移動ロボット。
【請求項３】
前記内殻構造体には、開閉または着脱可能なパネルが装着され、
前記パネル内部には、前記制御系機器への電子的アクセスを可能するコネクタ群が配置されていることを特徴とする請求項１または２に記載の防滴構造を備えた移動ロボット。
【請求項４】
前記外殻構造体は、分離取り外しが可能な構造を有していることを特徴とする請求項１〜３のいずれかに記載の防滴構造を備えた移動ロボット。
【請求項５】
前記外殻吸気口の吸気方向の軸線上を外した位置に前記内殻吸気口が位置していることを特徴とする請求項１〜４のいずれかに記載の防滴構造を備えた移動ロボット。
【請求項６】
前記外殻構造体には、外部に水を排水する排水手段が設けられていることを特徴とする請求項１〜５のいずれかに記載の防滴構造を備えた移動ロボット。
【請求項７】
前記移動ロボットは脚部を備えた歩行型の移動ロボットであり、
前記内殻構造体は、前記歩行型の移動ロボットの胴体部に格納されていることを特徴とする請求項１〜６のいずれかに記載の防滴構造を備えた移動ロボット。
【発明の詳細な説明】
【技術分野】
【０００１】
本発明は、主に野外で稼働させる際に有用となる防滴構造を備えた移動ロボットに関する。
【背景技術】
【０００２】
脚部を備え歩行を行う人型ロボット等の移動ロボットにおいて、内部に搭載される制御用ＣＰＵやモータ駆動回路等からは、その稼動中において常時熱が発生する。よく知られているように、ＣＰＵやモータ駆動回路に使われている半導体デバイスは、熱に弱く、そのため上述した制御用ＣＰＵやモータ駆動回路等から発生した熱は排熱する必要がある。
【０００３】
移動ロボットにおける発熱の問題に対応する技術としては、例えば特許文献１に記載のように、排気ファンを設けて排熱を行う冷却構造が提案されている。
【０００４】
歩行型ロボット等の移動ロボットは、建設作業現場での作業、重機の操作、災害復旧現場での作業、プラント等における保守点検作業、警備、介護作業といった用途への利用が期待されている。このような用途での稼働を考えた場合、野外や悪天候下、あるいは多湿な環境での耐久性が問題となる。
【０００５】
このような問題に対するアプローチとして、人型ロボットに防滴能力を備える構成が、例えば特許文献２に記載されている。特許文献２には、人型ロボットに雨合羽のような保護着を着せる技術について記載されている。
【０００６】
【特許文献１】特開２００２−１５４０８３号公報
【特許文献２】特開２００４−１８３１５７号公報
【発明の開示】
【発明が解決しようとする課題】
【０００７】
特許文献１に記載されているような、移動ロボットの内部で発生する熱を排気ファンによって排熱する構成は、ロボットの内部に外気を流入させる吸気口と、ロボットの内部の熱により温められた空気を外部に排気する排気口とが必要とされる。
【０００８】
ロボットが搭載している各種の機器の冷却を考えた場合、この吸気口と排気口における開口部の面積をそれなりに確保しなければならない。しかしながら、開口の面積を確保すると、開口から進入する雨水が問題になる。
【０００９】
ロボットは高度なメカトロニクス技術を利用した精密機器であり、特に制御系のコンピュータボードやモータの制御回路は、水滴の進入に極めて弱い。そのため、これらの機器に水滴が進入しないようにすることが重要となる。
【００１０】
雨水の浸入をほぼ完全に防ぐことができる仕様の防滴フィルタもあるが、高価であり、何より通過損失が大きいという欠点がある。移動ロボットは、利用できる電源容量に限りがあるので、フィルタの通過損失を補償できるような大流量のファンを採用することは好ましくない。このような理由から、防水フィルタの性能だけで、排熱用の開口部の防水を行うことは適当ではない。
【００１１】
また、特許文献２に記載されているような、保護着を移動ロボットに着せる方法は、防滴性と放熱性との両立を図る上で難点がある。また、稼働を行う毎に保護着の装着を行うことは面倒であるという問題がある。
【００１２】
また人型ロボットのような手足を備え、２足歩行が可能なロボットでは、電源を投入した起動時（立ち上げ時）に、膨大な量の各種制御系の初期化処理が自動的に行われるのであるが、その一部が上手く行かない場合がある。このような場合、外部からコンピュータを接続し、立ち上げ時に不具合があったプログラムを手動で再起動する等の作業が必要になる場合がある。
【００１３】
また、各種のメンテナンスを行う場合にも、コンピュータボードや制御基板の交換や基板単体の動作確認が簡単に行えるような構成が望まれる。しかしながら、上述した保護着を着用したロボットは、このような作業を行う場合には不向きである。
【００１４】
このように、防滴性、放熱性、メンテナンス時の作業性を同時に満たすことは困難であった。そこで本発明は、防滴性、放熱性、メンテナンス時の作業性を同時に満たすことができ、しかも電源への負担増や高コスト化を招かない移動ロボットを提供することを課題とする。
【課題を解決するための手段】
【００１５】
本発明は、防滴構造を備えた移動ロボットであって、ロボットの動作を制御する制御系機器を集中して格納し、防滴構造を有する内殻構造体と、前記内殻構造体を覆う外殻構造体と、前記内殻構造体に形成された内殻吸気口および内殻排気口と、前記外殻構造体に形成された外殻吸気口および外殻排気口とを備えることを特徴とする。
【００１６】
本発明においては、水滴の進入に非常に弱く、同時に発熱量が膨大で放熱が重要となる制御系機器を集中して配置した構造とする。こうすることで、冷却効率を高くでき、さらにコンピュータボードやモータ駆動回路基板の取り替えといったメンテナンスを行いやすい構造を実現できる。
【００１７】
以下、制御系機器を集中配置する優位性について説明する。ここでいう制御系機器というのは、ロボットの動作を制御する制御用ＣＰＵを搭載した基板、各種制御のための制御信号を送り出す回路基板、制御に必要な周辺回路、関節等に配置されたモータを制御する駆動電力を作り出すモータ駆動回路の基板等のことをいう。
【００１８】
ロボットの動作制御は極めて複雑であり、その制御は高速演算処理が可能な高速ＣＰＵその他演算用集積回路を多数必要とする。また、複雑な動作を行うために多数のモータを精密に駆動しなければならず、そのために多数のモータ駆動回路が必要とされる。
【００１９】
また、人間に代わり、あるいは人間と協調して各種の作業を行うことが求められる移動ロボットは、カメラが撮像した画像に基づいて各種の動作を制御する仕組みが不可欠であるが、視覚情報を瞬時にして処理し、各種の動作を制御するためには、大きなデータ量を極めて高速に演算する必要がある。そのため、高速演算が可能なコンピュータボードを多数必要とする。このような視覚系の制御を負担する演算回路基板も本発明における制御系機器に含まれる。
【００２０】
高速演算が可能なＣＰＵの動作時における発熱量は多く、効果的な冷却あるいは排熱を行わなくてはならない。このことは、演算速度の上がったコンピュータ機器の例からも良く理解されることである。
【００２１】
また、モータ制御用回路には、モータに流れるアンペア単位以上の大電流をスイッチングする半導体スイッチ（例えば大電流対応のスイッチング用ＦＥＴ等）が用いられるが、このような半導体スイッチは発熱量が大きい。特に２足歩行型の人型ロボットの場合は多数の高出力サーボモータを各関節等に配置する必要があり、その制御のための回路もモータの数の分だけ必要となる。このことから、全体として見ればモータ制御用回路からの発熱はかなりのものとなる。
【００２２】
これらの制御系機器が集中配置されていると、排熱の処理を一括して行うことができるので、排熱効率、スペースの有効利用、排熱に要する電力の削減、排熱の有効利用、といった点を追求することができる。
【００２３】
また、制御系機器を集中配置することで、関係する基板間の配線を短くでき、また電磁シールドやノイズ対策も集中して行うことができる。
【００２４】
ロボットの動作を考えれば容易に分かるように、各制御系機器は、互いに連携しながら、同時並行的に動作する。この際、演算処理を行うコンピュータボードなどは、ボード間において微弱高周波信号をやり取りする。したがって、制御系機器が離れた場所にあることは、ノイズによる誤動作、動作タイミングのズレ、信号の乱れによる動作不良といった問題の原因となる。制御系機器を集中配置した場合、これらの不都合を解消することができる。
【００２５】
また、制御系機器を集中配置することで、メンテナンス性を高くすることができる。制御機器は、基板の交換やデバイスの交換、あるいは各種の検査や調整が必要になる場合がある。この作業は、制御機器が、集中して整然と配置されていた方が行いやすい。
【００２６】
さらに、制御系機器は、大電力を消費するのであるが、制御系機器が分散配置されていると、電源もまた分散配置するか、あるいは電力供給用の電路を各所に張り巡らす等の対処をしなければならない。これに対して、制御系機器を集中配置した場合、電力供給装置（例えば安定化電源）もまた集中して配置することができ、また配線も短く整然と敷設することができる。このことは、ロボット内部の空間の有効利用、メンテナンスの容易性、システムの高信頼性を追求する上で有利となる。
【００２７】
これら制御系機器を集中配置することの優位性は、２足歩行型の人型ロボットの場合に特に顕著となる。すなわち、２足歩行型の人型ロボットの場合、複雑な制御が必要であるので、制御系機器を多数備える必要があり、しかも制御系機器を納めるスペースは限られ、さらに重量制限や消費電力の低減が厳しく追及される。上述した説明からも明らかなように、制御系機器の集中配置は、これらの要求を満たそうとする場合に有利となる。
【００２８】
また本発明の移動ロボットにおいては、胴体の少なくとも一部において、内側から内殻構造体そして外側（外部に露出する表面側）に外殻構造体とした２重構造を採用している。そしてこの構造において、内殻構造体を防滴構造とし、さらに内殻構造体に上述した制御系機器を集中配置して納めた構造としている。なお、防滴構造というのは、水滴が付着しても内部に水滴が進入しないような構造のことをいう。
【００２９】
なお、後述するように、本発明においては、内殻吸気口および内殻排気口の部分は、ある程度簡易的な防滴構造が許容される。この意味で、内殻吸気口および内殻排気口を含めた内殻構造の全体を完全な防滴構造にする必要はない。しかしながら、内殻吸気口および内殻排気口以外の部分においては、極力防滴性を追求する構造とすることが好ましい。
【００３０】
本発明においては、外殻構造体に厳密な防滴機能が要求されない。つまり、外殻構造体には、内部に水滴の進入が許容される。本発明では、内殻構造体を防滴構造とすることで、雨水の進入によるダメージが最も懸念される制御系機器を集中的に防滴する。
【００３１】
このような構造によれば、水滴の付着を極度に嫌うコンピュータボードやモータ駆動回路の基板に対して集中的に防滴対策を施すことができる。また、外殻構造体に厳密な防滴機能が要求されないので、低コスト化を実現することができる。
【００３２】
一つの究極として、外殻構造体に厳密な防滴機能（つまり水滴の進入を許さない機能）を持たせることが理想であるが、外殻構造全体を完全防滴構造にすることは、現実問題として困難である。また、無理に実行しようとしてもかえって信頼性が低下してしまう可能性がある。これに対して、本発明のように、内殻構造体に防滴機能を持たせる方法は、防滴をより確実に行うことが容易であるので、より実用性が高いものとなる。
【００３３】
また、本発明は、内殻構造体に形成された内殻吸気口および内殻排気口と、外殻構造体に形成された外殻吸気口および外殻排気口とを備えることを特徴とする。
【００３４】
内殻吸気口というのは、内殻構造体の内部に内殻構造体の外部から空気を吸い込むための開口のことである。内殻排気口というのは、内殻構造体の内部から内殻構造体の外部へ空気を排気するための開口のことである。外殻吸気口というのは、外殻構造体の内部に外殻構造体の外部から空気を吸い込むための開口のことである。外殻排気口というのは、外殻構造体の内部から外殻構造体の外部へ空気を排気するための開口のことである。
【００３５】
外殻吸気口および外殻排気口は、ルーバ等による簡易的な防滴機能を施しておけばよい。これは、外殻構造体がある程度の雨水の浸入を許容する構造であるからである。
【００３６】
内殻吸気口および内殻排気口には、ある程度簡易的な防滴性機能を有するフィルタを配置する必要がある。しかしながら、ここに、水分の進入を完全に遮断するような高通過損失を示す高価な防水フィルタを配置する必要はない。
【００３７】
本発明においては、まず外殻吸気口から空気（外気）が外殻構造体内に取り入れられ、それがさらに内殻吸気口から内殻構造体内に取り入れられる。ここで、外殻吸気口と内殻吸気口との位置をずらす、あるいは外殻吸気口からの空気の流入軸線と内殻吸気口の空気の流入軸線とが一致しないようにすることで、仮に外殻吸気口から雨水が浸入しても、それが直接内殻吸気口に飛び込む事態が起こり難くすることができる。そのため、内殻吸気口に配置するフィルタを簡易的なものにしても、内殻構造体の防滴機能は損なわれない。
【００３８】
この構成においては、内殻吸気口に配置するフィルタを本格的な防水性機能を有するものにしなくてもよいので、通過損失の小さいフィルタを採用することができる。このため、排気ファンの負荷を低減することができ、排熱効率（冷却効率）の向上と排気ファンの低消費電力化を追求することができる。
【００３９】
本発明において、排気ファンは、内殻排気口からの排気を助長するように、内殻排気口またはその前後に配置する構造とすることは好ましい。すなわち、上述した防滴機能を効果的に発現させるには、排気側にファンを配置し、内殻構造体を減圧状態（ロボット周囲の圧力よりも低い圧力）にし、その圧力差を利用して吸気口から空気が吸い込まれる形態とすることは好ましい。
【００４０】
この態様によれば、外殻吸気口から吸い込まれる空気の流れは、外殻吸気口に吸気用のファンを配置する場合に比較して、かなり穏やかなものとなる。そのため、外殻吸気口から雨水が強制的に吸い込まれてしまう事態を緩和することができ、さらに内殻吸気口から雨水が吸い込まれてしまう事態を防止する点で有利となる。また、内殻吸気口を複数設けた構造において、偏り無く各内殻吸気口から外気が吸引されるので、多数備えられた制御系機器を均一性よく冷却することができる。
【００４１】
また、この態様によれば、内殻排気口から勢いよく内殻構造体外に排気が行われるので、内殻排気口からの水分の進入は、その排気流によって十分防止される。
【００４２】
本発明の移動ロボットにおいて、内殻構造体には、開閉可能あるいは着脱可能なパネルが装着され、このパネル内部には、制御系機器への電子的アクセスを可能するコネクタ群が配置されている構造とすることは好ましい。
【００４３】
この態様によれば、例えば起動処理時に一部のプログラムの起動に不具合が生じる等した場合（例えば、あるプログラムだけリトライが頻発する場合）に、そのプログラムを実行するコンピュータボードに直接の電子的なアクセスを行い、プログラムの再起動や予備プログラムの起動、あるいはプログラムの起動停止といった処理を容易に行うことができる。
【００４４】
コンピュータボードに対する直接の電子的なアクセスというのは、ロボットの外部から制御用コンピュータやキーボードをコネクタに接続し、人為的な操作によって所定のコンピュータボードに対して、上述したような操作を行うことをいう。
【００４５】
移動ロボット（特に２足歩行型の人型ロボット）は、電源投入後における起動時に、手足のバランス位置の設定、可動範囲の設定、バランス制御の初期設定といった複雑な設定や初期化を行う必要がある。ちなみに、現状の技術においては、これらの初期設定処理に数十分を要している。
【００４６】
このため、いずれかのプログラムの実行に障害がある場合、そのプロラムだけを別途起動する、そのプログラムだけを意図的に起動させず、予備のプログラムを実行するといった操作を状況に応じて行う必要がある。
【００４７】
上述のように起動時に行われる設定処理は膨大であり、上述のような操作は、スイッチ一つで簡単に行うようなことは難しく、このような場合は、上述したようにロボットの外部から制御用コンピュータ等を接続し、操作を行う必要がある。
【００４８】
内殻構造体に開閉可能なパネルが装着され、このパネル内部に、制御系機器への電子的アクセスを可能するコネクタ群が集中配置されている構造は、このような場合に有効な構造となる。特に本発明における制御系機器の集中配置構造は、パネルをあければ、そこに各種コンピュータボードへの接続コネクタが整然と並んだ構造が、容易に実現できるので、更に有利となる。
【００４９】
またこの態様は、コネクタへのアクセス用の開口部が集約されたことで結果的に内殻構造の開口部を少なくすることができるので、防滴性の確保という点からも好ましいものとなる。
【００５０】
本発明の移動ロボットにおいて、外殻構造体は、分離取り外しが可能な構造を有していることは好ましい。この態様によれば、外殻構造体を分解して取り外すことで、内殻構造体を露出させることができ、高いメンテナンス性を得ることができる。分離の形態は、なるべく少ない分離数とすることが好ましく、例えば２分割あるいは３分割とすることが適当である。
【００５１】
本発明の移動ロボットにおいて、外殻吸気口の吸気方向の軸線上を外した位置に内殻吸気口が位置している構造とすることは好ましい。この態様によれば、外殻吸気口から吸い込まれた空気流に乗った水滴が内殻吸気口に直接吸い込まれる不都合を防止することができる。
【００５２】
本発明の移動ロボットにおいて、外殻構造体には、外部に水を排水する排水手段が設けられている構造とすることは好ましい。本発明においては、外殻構造体内への雨水の進入が許容されている。しかしながら、外殻構造体内に雨水が残留するような状態は、結露や部材の腐食を招くので好ましくない。この態様によれば、外殻構造体内に進入した水滴を外殻構造体の外部に排出することができるので、外殻構造体内に雨水が残留する不都合を抑制することができる。
【００５３】
本発明において、移動ロボットは人型ロボットであり、内殻構造体は、人型構造の上半身胴体部に格納されている態様は好ましい。２足歩行型の人型ロボットは、対人親和性を確保するために、無闇に大型化することはできず、また２足歩行を行う必要性から、各種機器の格納スペースには大きな制限がある。
【００５４】
このような背景において、本発明を２足歩行型の人型ロボットに適用した場合、内殻構造体を人体の上半身胴体部に相当する部分に格納する構造とすることは合理的となる。この場合、人型ロボットの上半身胴体部の外装構造が外殻構造体となり、その内部に制御系機器を集中して格納した内殻構造体が納められる構造となる。
【００５５】
上半身胴体部は、ある程度のスペースが確保でき、またメンテナンスにも有利な位置および高さとなるので好ましい。また、吸気口および排気口の開口面積を確保し易い点においても好ましい。
【００５６】
上半身胴体部というのは、上部に首、左右に腕が位置し、人間でいうと胸郭にあたる上半身の胴体部分のことをいう。
【００５７】
本発明の適用対象となる移動ロボットとしては、脚部を備えて２足歩行を行う人型移動ロボット、３足以上の脚部を備えた移動ロボット（例えば４足の動物型等）、あるいは脚部の代わりに車輪や無限軌道による移動手段を備えたロボット、あるいは脚部と車輪や無限軌道とを組み合わせた移動手段を備えた移動ロボットを挙げることができる。いずれの形態の移動ロボットにおいても、内殻構造体をその胴体部に格納した構造とすることが好ましい。また、本発明における移動ロボットは、電源および動作制御のための機器を内蔵し、自律制御あるいは操作信号を外部から受けての制御が行われる形態のものが好ましい。
【００５８】
また、ここでは雨水からの防水の例を説明したが、進入を防止する液体は、雨水に限定されるものではない。例えば、防滴の対象となる液体は、水道水、工業用水、塗料、薬液、油、液状の各種原料（例えば液状の樹脂材料）、水蒸気、消火剤や消火用水、海水、川や湖の水等であってもよい。
【００５９】
また、ここでは防滴の観点から説明を加えたが、水滴の進入を防ぐ効果と同様に塵の進入を防ぐ防塵の効果も得ることができる。すなわち、本発明は、防塵においても効果的な技術として利用することができる。
【発明の効果】
【００６０】
本発明によれば、防滴性、放熱性、各種のメンテナンスの作業性を同時に満たすことができ、しかも電源への負担増や高コスト化を招かない移動ロボットを提供することができる。
【００６１】
すなわち、防滴構造を備えた内殻構造体内に、発熱が顕著な制御系機器を集中して格納し、この内殻構造体をロボットの外殻を構成する外殻構造体内に納める構造とすることで、効果的な防滴と放熱を実現することができる。
【００６２】
また、制御系機器が集中配置されることで、高いメンテナンス性を得ることができる。また、防滴構造を付与する部分を限定でき、更にフィルタへの負担を減らせので、低コストを追求することができる。
【００６３】
また、放熱機構を集中して効率の良い放熱が行え、さらに通過損失の低いフィルタを用いることができるので、放熱機構が電源に与える負担を少なくすることができる。
【発明を実施するための最良の形態】
【００６４】
以下、本発明を利用した移動ロボットの一例について、図面を参照して説明する。本実施形態において説明する移動ロボットは、自律制御型の２足歩行可能な人型ロボットである。このロボットは、工事現場等における作業や介護作業といった人間がこれまで行ってきた作業を行うことを目的としているロボットの一例である。
【００６５】
（ロボットの概要）
図１は、本実施形態のロボットの全体の概略を示す正面図（図１（Ａ））および右側面図（図１（Ｂ））である。図２は、本実施形態のロボットの概要を示す斜視図である。
【００６６】
図１および図２に示すロボット１００は、上半身胴体部１０１と下半身胴体部１０３とを備えている。上半身胴体部１０１と下半身胴体部１０３とは、揺軸１０２によって連結され、上半身胴体部１０１は、下半身胴体部１０３に対して捻り回転（Yaw軸回転）および前後回転（Pitch軸回転）が行えるようになっている。
【００６７】
下半身胴体部１０３には、右側股関節１０４を介して右足１０５が、左側股関節１０６を介して左足１０７が連結されている。また、上半身胴体部１０１には、右肩関節１０８を介して右腕１０９が連結され、左肩関節１１０を介して左腕１１１が連結され、首１１２を介して頭部１１３が配置されている。また、上半身胴体部１０１の外殻は、外殻構造体１２０によって覆われている。外殻構造体１２０の内部には、後述する内殻構造体が納められている。
【００６８】
上半身胴体部１０１の外殻を構成する外殻構造体１２０には、外殻吸気口１１４が設けられている。図１には、６ヶ所の外殻吸気口１１４が記載されている。
【００６９】
なお、外殻構造体１２０の人体の鳩尾に相当する部分には、腰Pitch軸ギヤボックス１１５が取り付けられている。後述するように、この腰Pitch軸ギヤボックス１１５の裏側には、電源系への冷却用空気を吸引する内殻吸気口が設けられている。
【００７０】
また、下半身胴体部１０３の内部には、動力源となるバッテリーが格納されている。ロボット１００の動作は、下半身胴体部１０３の内部に格納されたバッテリーの電力を動力源として行われる。
【００７１】
（外殻構造体の概要）
図３は、図１および図２に示す上半身胴体部１０１の内部構造を示す分解斜視図である。図１および図２に示す外殻構造体１２０は、図３に示すように、外殻構造体前部１２１、外殻構造体後部１２２、外殻構造体上部１２３に３分割される。
【００７２】
外殻構造体前部１２１の前面および外殻構造体上部１２３の前縁部には、外殻吸気口１１４が設けられている。
【００７３】
外殻構造体１２０の中には、内殻構造体３００が納められている。内殻構造体３００は、スピーカ３０１、ＬＥＤ３０２、内殻吸気口３０３、内殻吸気口３０４、排気ファン３０５、通信アンテナ３０７を備えている。
【００７４】
スピーカ３０１は、応答音、音声、各種の動作を報知する報知音、その他警告音等を発生する。ＬＥＤ３０２は、ロボット１００（図１参照）のパワーオンやパワーオフ等の制御状態を表示するＬＥＤ表示灯である。
【００７５】
図３には、内殻吸気口３０３として、内殻構造体３００の前部上側に２ヶ所、前部左側に３ヶ所の計５ヶ所が記載されているが、同様の内殻吸気口は、図では影になっている前部下側に２ヶ所、前部右側に３ヶ所の計５ヶ所にも設けられている。また、内殻構造体３００の左側面には、内殻吸気口３０４が設けられている。なお、内殻吸気口３０４の反対側（右側面）にも同様の吸気口が設けられている。
【００７６】
ここで、計１０ヶ所の内殻吸気口３０３には、薄型フィルタが配置されている。また、計２ヶ所の内殻吸気口３０４には、フィルタを波形に折り曲げてフィルタ能力を高くした薄型フィルタが配置されている。
【００７７】
排気ファン３０５は、遠心式ファンであり、内殻構造体３００内の空気を排気口３０６から勢いよく排気する機能を有する。排気ファン３０５を作動させることで、内殻構造体３００内の空気が排気ファン３０５の排気口３０６から排気され、その排気力によって、内殻吸気口３０３群および３０４群より、内殻構造体３００内に空気が吸引される。なお、排気ファン３０５の排気口には、図３には図示されていないフィルタ４１２（図５参照）が配置されている。
【００７８】
通信アンテナ３０７は、マイクロ波帯域の電波を利用して、内殻構造体３００内に格納された制御系機器と外部との間で通信を行うためのアンテナである。この通信アンテナ３０７は、例えばロボット１００の遠隔操作時に利用される。
【００７９】
外殻構造体前部１２１には、音を外部に放射するためのスピーカ全面パネル１２４、LED３０２を表示するための開口１２５が設けられている。
【００８０】
外殻構造体後部１２２には、アクセス開口１２６、３ヶ所の外殻排気口１２７が設けられている。
【００８１】
アクセス開口１２６は、内殻構造体３００の後部の図３には図示されていない内部コネクタ群配置部に、アクセスパネル３０８を蓋として取り付ける際に利用される。つまり、アクセスパネル３０８は、外部から開口１２６を介して内殻構造体３００に取り付けられる。この構造においては、アクセスパネル３０８を取り付けた状態において、アクセスパネル３０８の外側が、ロボット１００の背中から見える状態となる。
【００８２】
また、外殻構造体後部１２２には、排水用スリット１２８が設けられている。この構造においては、外殻構造体１２０の内壁および内殻構造体３００の外側に付着した水滴は、重力の作用でスリット１２８に流れ込み、外部に排出される。なお、外殻構造体上部１２３には、首１１２が貫通する開口１２９が設けられている。
【００８３】
図３に示す構造においては、外殻吸気口１１４からの気流の流れの軸線と、内殻吸気口３０３および３０４の吸気方向の軸線とが一致しないように意図的に構成されている。すなわち、外殻吸気口１１４の吸気方向の軸線上を外した位置に内殻吸気口３０３が位置するようにし、外殻吸気口１１４から内殻吸気口３０３および３０４への気流の流れの経路が屈曲するようにしている。
【００８４】
こうすることで、外殻吸気口１１４から吸い込んだ外気の気流中に水滴が含まれていても、それが直接内殻吸気口３０３および３０４から吸引される事態が生じにくい構造を得ることができる。
【００８５】
このため、内殻吸気口３０３および３０４に配置するフィルタをより簡易なものにすることができる。
【００８６】
以下、外殻構造体１２０の外観構造について説明を加える。図４は、外殻構造体１２０の概要を示す斜視図（Ａ）、背面図（Ｂ）、上面図（Ｃ）、前面図（Ｄ）、および下面図（Ｅ）を示す展開図である。
【００８７】
図４（Ｂ）には、外殻構造体１２０の背面における４ヶ所の外殻排気口１２７が示されている。外殻構造体１２０の内部からの排気は、この４ヶ所の外殻排気口１２７から行われる。これら外殻排気口１２７は、斜めに傾斜した長方形の板部材を上下に間隔を開けて縦に並べたルーバ構造を備えている。ルーバ構造とすることで、外殻排気口１２７から雨水が吹き込み難い構造とすることができる。
【００８８】
また、図４（Ｂ）に示すように、外殻構造体１２０の背面においては、内殻構造体３００に取り付けられるアクセスパネル３０８が見えている。つまり、外殻構造体１２０の背面には、アクセスパネル３０８の取り外しができるようにアクセス開口１２６が設けられている。ここでは、雨水や塵の進入を防ぐために、アクセスパネル３０８の縁周辺にはパッキンが配置されており、アクセスパネル３０８と外殻構造体１２０に形成されたアクセス開口１２６との間に隙間ができないように工夫されている。
【００８９】
図４（Ｃ）に示すように、外殻構造体１２０の下面には、首１１２を通すための首孔１２９が設けられている。
【００９０】
図４（Ｄ）に示すように、外殻構造体１２０の全面には、計６ヶ所の外殻吸気口１１４の他に、人体の鳩尾に当たる部分に設けられた外殻吸気口５０１が設けられている。
【００９１】
この外殻吸気口５０１は、主に後述する図５に図示する電源ボード４０９に風を送る電源ボード用ファン４１１が必要とする空気を吸引するための吸気口である。図１に示すように、ロボット１００が組み立てられている状態においては、外殻吸気口５０１は、腰pitch軸ギヤボックス１１５によってその一部しか見えない状態になっている。
【００９２】
また図４（Ｅ）に示すように、外殻構造体１２０の下面には、揺軸１０２の捻り回転（Yaw軸回転）軸が貫通する軸孔５０２が設けられている。
【００９３】
（内殻構造体の概要）
図５は、内殻構造体の内部構造の概略を示す分解斜視図である。図５には、図３に示す内殻構造体３００が、内殻構造体本体４０１、内殻構造体本体４０１の前部を覆う内殻構造体前部カバー４０２、内殻構造体本体４０１の後部を覆う内殻構造体後部カバー４０３によって構成された構造が示されている。
【００９４】
内殻構造体本体４０１の内部には、制御系機器である動作系ホストコンピュータボード群４０４、視覚系ホストコンピュータボード群４０５、モータ駆動回路ボード群４０６、および電源系制御回路ボード群４０７が納められる。また、内殻構造体本体４０１の上部には、リンクノードコンピュータボード群４０８が装着され、下部には電源ボード４０９が装着される。
【００９５】
動作系ホストコンピュータボード群４０４は、手足の動作制御や姿勢制御といった各部の動作を制御する処理を行う機能を有する。視覚系ホストコンピュータボード群４０５は、頭部１１３に備えた図示しないカメラが捉えた画像を処理解析し、各種の動作を制御する際に必要となる視覚情報を生成する。
【００９６】
リンクノードコンピュータボード群４０８は、動作系ホストコンピュータボード群４０４で扱わなくても良い簡単な処理を行うコンピュータボードである。図示されている２つのリンクノードコンピュータボード群４０８は、それぞれ右腕１０９と左腕１１１、腰軸、首軸それぞれの一部の動作制御を受け持っている。
【００９７】
リンクノードコンピュータボードは、脚部の動作制御用に、右足１０５および左足１０７の人体でいうと太股に相当する部分にも配置されている。
【００９８】
リンクノードコンピュータボードは、動作系ホストコンピュータボード群４０４が処理しなくてもよいような、手足の単純な動きを制御し、これにより動作系ホストコンピュータボード群４０４の負担を軽減し、複雑な動き、あるいは微妙な動きが要求される際に、動作系ホストコンピュータボード群４０４の処理速度が低下しないようにするために配置されている。
【００９９】
これらコンピュータボードには、それぞれの機能に応じたＣＰＵやメモリ、その他集積回路や周辺回路が搭載されている。
【０１００】
モータ駆動回路ボード群４０６は、関節等に配置されたサーボモータを駆動する機能を有する。モータ駆動回路ボード群４０６は、モータ駆動用に開発された大電流を扱うことができるスイッチング用ＦＥＴ等を用いたモータ駆動用電子回路を備えている。
【０１０１】
電源系制御回路ボード群４０７は、内殻構造体３００内に納められた各種の制御系機器へ供給される電源供給系統を制御および監視する機能を有する。電源系制御回路ボード群４０７は、電源電圧や電流を監視するためのセンサ回路、リレー回路、制御用のマイコン回路を備えている。
【０１０２】
動作系ホストコンピュータボード群４０４、視覚系ホストコンピュータボード群４０５、モータ駆動回路ボード群４０６、および電源系制御回路ボード群４０７等は、ボード端にコネクタを備えたモジュール構造を有している。
【０１０３】
なお、内殻構造体４０１内には、この各ボード群のコネクタの受け側コネクタが配置されている。各ボード群は、自身のコネクタを内殻構造体４０１内に配置された受け側コネクタに結合させることで、内殻構造体４０１内に装着することができる。この構造によれば、各ボード群の内殻構造体４０１内への装着および脱着（取り外し）を簡単に行うことができる。
【０１０４】
例えば図５には、モータ駆動回路ボード群４０６を装着するための受け側コネクタ４１４と、電源系制御回路ボード群４０７を装着するための受け側コネクタ４１５とが、内殻構造体本体４０１内に配置されている様子が示されている。この構造においては、受け側コネクタ４１４にモータ駆動回路ボード群４０６を装着し、受け側コネクタ４１５に電源系制御回路ボード群４０７を装着することで、内殻構造体４０１内へのモータ駆動回路ボード群４０６、および電源系制御回路ボード群４０７の装着が行われる。
【０１０５】
電源ボード４０９は、上述した各種ボードに電力を供給するための電源回路を備えている。電源回路は、各ボードに電力を効率よく供給できるようにＤＣ−ＤＣコンバータ回路、電圧安定化回路、保護回路、補助電源回路等を複数備えている。
【０１０６】
動作系ホストコンピュータボード群４０４や視覚系ホストコンピュータボード群４０５は、高速演算が可能なＣＰＵを備えており、しかも一つのボードに備えられたＣＰＵが複数の場合もあり、さらにそのコンピュータボードが複数格納されている。このため、かなりの電力を消費する。また、モータ駆動回路ボード群４０６も大電流を扱うスイッチング素子を備えた駆動回路を備え、さらにモータ駆動回路ボード群４０６も複数枚が配置されているので、そこでもかなりの電力を必要とする。
【０１０７】
したがって、電源ボード４０９は、大電力を供給する電源能力が必要とされる。そのため、電源回路における発熱も大きく、それに対応するために、電源ボード４０９の下には電源ボード用ヒートシンク４１０が配置され、さらにこのヒートシンクを冷却する電源ボード用ファン４１１が配置されている。
【０１０８】
ここで、動作系ホストコンピュータボード群４０４と視覚系ホストコンピュータボード群４０５は、後部カバー４０３を外した状態で、内殻構造体本体４０１の内部に装着することができる。また、モータ駆動回路ボード群４０６と電源系制御回路ボード群４０７は、前部カバー４０２を外した状態で、内殻構造体本体４０１の内部に装着することができる。もちろん、装着されている状態のボードを取り外すこともできる。
【０１０９】
内殻構造体後部カバー４０３には、内側アクセス用開口４１３が設けられている。この内側アクセス開口４１３にアクセスパネル３０８が取り付けられる。そして、アクセスパネル３０８を外すと、内殻構造体３００の内部にアクセスできるようになっている。後述するように、アクセスパネル３０８を外すと、動作系ホストコンピュータボード群４０４および視覚系ホストコンピュータボード群４０５のコンピュータボードに電子的にアクセスすることが可能となるコネクタ群が露出する構造となっている。
【０１１０】
以下、内殻構造体３００の外観構造について説明を加える。図６は、内殻構造体３００の概要を示す斜視図（Ａ）、背面図（Ｂ）、左側面図（Ｃ）、上面図（Ｄ）、前面図（Ｅ）、および下面図（Ｆ）を示す展開図である。
【０１１１】
図６（Ｂ）には、アクセスパネル３０８（図５参照）が取り外され、内側アクセス用開口４１３から、動作系ホストコンピュータボード群４０４および視覚系ホストコンピュータボード群４０５のコンピュータボードに電子的にアクセスすることが可能となるコネクタ群６０１が露出した状態が示されている。
【０１１２】
また、図６（Ｃ）〜（Ｆ）に示されるように、内殻構造体３００の正面（前部カバー４０２）には、計１０ヶ所の内殻吸気口３０３が設けられている。排気ファン３０５が動作すると、この内殻吸気口３０３から空気が内殻構造体３００内に吸い込まれる。
【０１１３】
（実施形態の優位性）
本実施形態においては、人型ロボットの胸部に相当する上半身胴体部１０１の外側を外殻構造体１２０、内側を内殻構造体３００とする２重構造を採用している。そして、内殻構造体３００を防滴構造とし、その内部に制御用機器である動作系ホストコンピュータボード群４０４、視覚系ホストコンピュータボード群４０５、モータ駆動回路ボード群４０６、および電源系制御回路ボード群４０７を納めた構造としている。
【０１１４】
この構造においては、発熱が問題となる制御用機器が集中的に配置されているので、これらの機器から発生する熱を効率よく排熱することができる。このため、過熱に起因する動作不良等の不具合を防ぐことができる。
【０１１５】
また、内殻構造体３００に集中して防滴構造を施せばよいので、確実な防滴構造を低コストで実現することができる。すなわち、制御系機器を個別に防滴する場合に比較して、より少ない負担で、より確実な防滴を実現することができる。
【０１１６】
またこの構造では、排気ファンの数を減らすことができるので、排気ファンの利用効率を高くすることができる。このため排熱機構の消費電力を低減することができる。
【０１１７】
また、外殻構造体１２０と内殻構造体３００との２重構造とすることで、内殻構造体３００の内殻吸気口３０３および３０４に直接水が吹き付けられない構造を実現することができる。
【０１１８】
特に、外殻吸気口１１４の吸気方向の軸線上に、内殻吸気口３０３および３０４が位置しないようにすることで、内殻吸気口３０３および３０４に直接水滴が吹き付けられる事態をより効果的に防止できる構造を得ることができる。
【０１１９】
このため、内殻吸気口３０３および３０４に配置されるフィルタの負担を軽減することができ、一般的な防水性機能を有するフィルタよりも低コストで実施することができる。また、低通過損失なものを採用できるので、排気ファンに加わる負荷を低減でき、またより大量の風量を内殻構造体３００内に取り入れることができる。このことは、コスト削減、排熱効率（冷却効率）の向上を追求する点で有利となる。
【０１２０】
特に本実施形態においては、内殻構造体３００内から排気ファン３０５によって強制排気を行う構造としているので、集中配置した制御用機器にむらなく気流を当てることができ、各制御用機器からの発熱をバランス良く効果的に排熱させることができる。
【０１２１】
また、外殻構造体１２０に設けられたアクセス開口１２６を介して、内殻構造体３００の背面に取り付けられたアクセスパネル３０８を取り外すことで、内側アクセス用開口４１３を介して、内殻構造体３００内に格納された各種コンピュータボート等に電気的な接続を可能とするコネクタ群６０１へのアクセスを容易に行うことができる。
【０１２２】
図７は、人型ロボットの上半身胴体部の背面図および斜視図である。図７（Ａ）は、上半身胴体部１０１を背面から見た状態を示す背面図であり、図７（Ｂ）は、上半身胴体部を斜め後方から見た斜視図である。
【０１２３】
図７から分かるように、アクセスパネル３０８を取り外すと、アクセス開口１２６を介して、内殻構造体３００（図３参照）内のコネクタ群６０１を露出させることができる。コネクタ群６０１は、制御用機器である動作系ホストコンピュータボード群４０４、視覚系ホストコンピュータボード群４０５への電子的なアクセスを可能にするコネクタである。
【０１２４】
この構造によれば、例えば、動作系ホストコンピュータボード群４０４の一つが関係する制御に不具合や動作確認等の必要がある場合、アクセスパネル３０８を取り外し、コネクタ群６０１の中から、対応する基板へのアクセスが行えるコネクタを探し出し、このコネクタを利用して、外部コンピュータや試験調整用外部機器、その他測定器を用いて、当該基板の動作確認や調整を行うことができる。このように、ロボットの起動時における一部制御の不具合等に迅速に、そして簡単に対応することができる。
【０１２５】
また、図３や図５に示すように、外殻構造体１２０を分離構造とすることで、制御用機器である動作系ホストコンピュータボード群４０４、視覚系ホストコンピュータボード群４０５、モータ駆動回路ボード群４０６、および電源系制御回路ボード群４０７等の交換作業をロボットの分解を大げさに行わなくても実行することができる。
【０１２６】
例えば、動作系ホストコンピュータ群４０４のボードを交換する場合、まず外殻構造体後部１２２を取り外し、次に内殻構造体後部カバー４０３を取り外すことで容易に行うことができる。
【０１２７】
この作業は、ロボットを直立させた状態で行うことができるので、稼働現場で実行することができる。このため、ロボットを整備施設に搬送し、そこで分解した上で、コンピュータボード等の制御用機器を交換するといった煩雑な作業を行わなくても良い。
【０１２８】
本実施形態においては、図３に示すように、外殻構造体１２０の背面下部付近に、排水用スリット１２８を設けている。こうすることで、外殻構造体１２０内に進入した水滴を重力の作用により、外部に排出させることができる。
【０１２９】
本実施形態においては、内殻構造体３００に防滴機能を負担させ、外殻構造体１２０の防滴機能はある程度あればよいくらいに許容されている。このため、外殻構造体１２０の内側に水滴が進入することがあるが、上述のように排水手段を設けることで、残留する水滴の悪影響を排除することができる。
【０１３０】
本実施形態においては、図３および図５に示されるように、内殻構造体３００は、人型ロボットの胸部分に相当する上半身胴体部１０１に格納されている。つまり、人体の胸部に相当する部分に、制御用機器を集中配置し、格納する構造としている。
【０１３１】
上半身胴体部１０１は、ある程度のスペースが確保でき、またロボット１００が直立した状態において、メンテナンスに有利な位置および高さとなるので好ましい。また、吸気口および排気口の開口面積を確保し易い点においても好ましい。
【産業上の利用可能性】
【０１３２】
本発明は、２足歩行型のロボット等の移動ロボットに利用することができる。特に発明は、野外環境下や液体に濡れる可能性がある環境下で人間に代わって作業を行う移動ロボット、あるいは人間の作業を補助する移動ロボットに利用することに適している。
【図面の簡単な説明】
【０１３３】
【図１】発明を利用した２足歩行型移動ロボットの概要を示す正面図および側面図である。
【図２】発明を利用した２足歩行型移動ロボットの概要を示す斜視図である。
【図３】図１に示すロボットの上半身胴体部の内部構造を示す分解斜視図である。
【図４】外殻構造体の斜視状態（Ａ）、背面（Ｂ）、上面（Ｃ）、前面（Ｄ）、および下面（Ｅ）を示す展開図である。
【図５】内殻構造体の内部構造の概略を示す分解斜視図である。
【図６】内殻構造体の斜視状態（Ａ）、背面（Ｂ）、左側面（Ｃ）、上面（Ｄ）、前面（Ｅ）、および下面（Ｆ）を示す展開図である。
【図７】上半身胴体部の背面図および斜視図である。
【符号の説明】
【０１３４】
１００…ロボット、１０１…上半身胴体部、１０２…揺軸、１０３…下半身胴体部、１０４…右側股関節、１０５…右足、１０６…左側股関節、１０７…左足、１０８…右肩関節、１０９…右腕、１１０…左肩関節、１１１…左腕、１１２…首、１１３…頭部、１１４…外殻吸気口、１１５…腰Pitch軸ギヤボックス、１２０…外殻構造体、１２１…外殻構造体前部、１２２…外殻構造体後部、１２３…外殻構造体上部、１２４…スピーカ前面パネル、１２５…ＬＥＤ３０２を表示するための開口、１２６…アクセス開口、１２７…外殻排気口、１２８…排水用スリット、１２９…首１１２が貫通する開口、３００…内殻構造体、３０１…スピーカ３０１、３０２…ＬＥＤ、３０３…内殻吸気口、３０４…内殻吸気口、３０５…排気ファン、３０６…排気ファンの排気口、３０７…通信用アンテナ、３０８…アクセスパネル、４０１…内殻構造体本体、４０２…内殻構造体前部カバー、４０３…内殻構造体後部カバー、４０４…動作系ホストコンピュータボード群、４０５…視覚系ホストコンピュータボード群、４０６…モータ駆動回路ボード群、４０７…電源系制御回路ボード群、４０８…リンクノードコンピュータボード群、４０９…電源ボード、４１０…電源ボード用ヒートシンク、４１１…電源ボード用ファン、４１２…フィルタ、４１３…内側アクセス用開口、５０１…外殻吸気口、５０２…揺軸１０２の捻り回転（Yaw軸回転）軸が貫通する軸孔、６０１…内殻構造体に配置されたコネクタ群。
【図１】
2006116679.tif 000003
【図２】
2006116679.tif 000004
【図３】
2006116679.tif 000005
【図４】
2006116679.tif 000006
【図５】
2006116679.tif 000007
【図６】
2006116679.tif 000008
【図７】
2006116679.tif 000009